(57)【要約】【課題】電線の固定を解いた後でも電線の周囲にゴミとして残るおそれがなく、また、電線の固定時間を短縮することができ、さらに電線の固定が自然に解かれることがないような配線固定具および配線固定システムを提供する。【解決手段】位置固定されたワイヤ３０に係合可能なワイヤ係合部１６が配線固定具１０の本体部分１２に取り付けられている。また、電線固定用貫通穴１８が本体部分１２に設けられている。この電線固定用貫通穴１８は、電線（例えば照明用電源線３２等）を通すとともにこの通された電線を固定するようになっている。【選択図】図１
2008303017.tif 000002
【特許請求の範囲】
【請求項１】
本体部分と、
前記本体部分に取り付けられ、位置固定されたワイヤに係合可能なワイヤ係合部と、
前記本体部分に設けられ、電線を通すとともにこの通された電線を固定する電線固定用貫通穴と、
を備えたことを特徴とする配線固定具。
【請求項２】
前記本体部分は第１の部分および第２の部分からなるとともに第１の部分および第２の部分を接続するヒンジが設けられており、
前記第１の部分および第２の部分にはそれぞれ半円形状の溝が互いに対向するよう設けられており、前記ヒンジにより前記第１の部分および第２の部分が接合したときにこれらの第１の部分および第２の部分に形成された溝が組み合わさって前記電線固定用貫通穴を形成し、電線は前記第１の部分および第２の部分に挟持されて固定されるようになっていることを特徴とする請求項１記載の配線固定具。
【請求項３】
前記本体部分に複数の電線固定用貫通穴が設けられていることを特徴とする請求項１または２記載の配線固定具。
【請求項４】
位置固定されたワイヤと、
本体部分、前記本体部分に取り付けられ、前記ワイヤに着脱自在に係合したワイヤ係合部、および前記本体部分に設けられ、電線を通すとともにこの通された電線を固定する電線固定用貫通穴を有する配線固定具と、
を備えたことを特徴とする配線固定システム。
【請求項５】
前記ワイヤはエレベータの昇降路に位置固定で設けられていることを特徴とする請求項４記載の配線固定システム。
【発明の詳細な説明】
【技術分野】
【０００１】
本発明は、電線を固定するための配線固定具および配線固定システムに関し、とりわけ、電線の固定を解いた後でも電線の周囲にゴミとして残るおそれがなく、また、電線の固定時間を短縮することができる配線固定具および配線固定システムに関する。
【背景技術】
【０００２】
従来より、エレベータの昇降路等に配設される電線を固定するために、結束バンド（ケーブルタイ）が用いられていた。結束バンドは、一例として例えば細長形状のナイロンやプラスチックから形成されたものからなり、先端部に設けられた貫通穴に基端部が入り込んで輪形状となることにより電線を固定するようになっている。このような結束バンドとしては、例えば特許文献１に記載されたようなものが知られている。
【０００３】
【特許文献１】特開平９−２５７６１０号公報
【発明の開示】
【発明が解決しようとする課題】
【０００４】
しかしながら、このような結束バンドは概して使い捨てのものとなっており、電線の固定（結束）を解いた後にこの結束バンドがエレベータの昇降路にゴミとして残るおそれがある。また、このような結束バンドで電線を固定するにあたり、作業時間が長いという問題があった。さらにこのような結束バンドによる電線の固定は自然に解かれる場合があり、この場合には結束バンドが他の機器に接触してトラブルを起こしてしまう問題がある。
【０００５】
本発明は、このような点を考慮してなされたものであり、電線の固定を解いた後でも電線の周囲にゴミとして残るおそれがなく、また、電線の固定時間を短縮することができ、さらに電線の固定が自然に解かれることのないような配線固定具および配線固定システムを提供することを目的とする。
【課題を解決するための手段】
【０００６】
本発明の配線固定具は、本体部分と、前記本体部分に取り付けられ、位置固定されたワイヤに係合可能なワイヤ係合部と、前記本体部分に設けられ、電線を通すとともにこの通された電線を固定する電線固定用貫通穴と、を備えたことを特徴とする。
このような配線固定具によれば、本体部分に電線固定用貫通穴を設けることにより電線を確実かつ容易に保持することができるようになり、結束バンドを用いた場合と比較して電線の固定を解いた後でも電線の周囲にゴミとして残るおそれがなく、また、電線の固定時間を短縮することができ、さらに電線が電線固定用貫通穴に固定されることにより当該電線の固定が自然に解かれることがない。
【０００７】
本発明の配線固定具においては、前記本体部分は第１の部分および第２の部分からなるとともに第１の部分および第２の部分を接続するヒンジが設けられており、前記第１の部分および第２の部分にはそれぞれ半円形状の溝が互いに対向するよう設けられており、前記ヒンジにより前記第１の部分および第２の部分が接合したときにこれらの第１の部分および第２の部分に形成された溝が組み合わさって前記電線固定用貫通穴を形成し、電線は前記第１の部分および第２の部分に挟持されて固定されるようになっていることが好ましい。このことにより、電線の固定をより確実に行うことができるようになる。
【０００８】
本発明の配線固定具においては、前記本体部分に複数の電線固定用貫通穴が設けられていることが好ましい。このことにより、並列に延びる複数の電線を同時に固定することができるようになる。
【０００９】
本発明の配線固定システムは、位置固定されたワイヤと、本体部分、前記本体部分に取り付けられ、前記ワイヤに着脱自在に係合したワイヤ係合部、および前記本体部分に設けられ、電線を通すとともにこの通された電線を固定する電線固定用貫通穴を有する配線固定具と、を備えたことを特徴とする。このような配線固定システムによれば、配線固定具の本体部分に電線固定用貫通穴を設けることにより電線を確実かつ容易に保持することができるようになり、配線を固定するために結束バンドを用いた場合と比較して電線の固定を解いた後でも電線の周囲に配線固定具がゴミとして残るおそれがなく、また、電線の固定時間を短縮することができ、さらに電線が配線固定具の電線固定用貫通穴に固定されることにより当該電線の固定が自然に解かれることがない。
【００１０】
本発明の配線固定システムは、前記ワイヤはエレベータの昇降路に位置固定で設けられていることが好ましい。
【発明の効果】
【００１１】
本発明の配線固定具および配線固定システムによれば、電線の固定を解いた後でも電線の周囲にゴミとして残るおそれがなく、また、電線の固定時間を短縮することができ、さらに電線の固定が自然に解かれることがない。
【発明を実施するための最良の形態】
【００１２】
以下、本発明の一の実施の形態について、図面を参照して説明する。図１は、本実施の形態における一の配線固定具の構成を示す上面図であり、図２は、図１に示す一の配線固定具の側面図である。また、図３は、本実施の形態における他の配線固定具の構成を示す上面図であり、図４は、図３に示す他の配線固定具の側面図である。また、図５は、エレベータの昇降路に電線の配線がなされたときの状態を示す構成図である。
【００１３】
図１および図２を用いて本実施の形態における配線固定具１０について説明する。図１は、配線固定具１０にワイヤ３０および電線（例えば、照明用電源線）３２を係合させたときの上面図を示しており、図２は、図１に示す配線固定具１０に照明用電源線３２のみを係合させたときの側面図である。図１および図２に示すように、配線固定具１０は、本体部分１２と、この本体部分１２に取り付けられた１つのワイヤ係合部１６と、本体部分１２に設けられ、照明用電源線３２を通すとともにこの通された照明用電源線３２を固定する１つの電線固定用貫通穴１８とを備えている。
【００１４】
より具体的に説明すると、本体部分１２は、第１の部分１２ａおよび第２の部分１２ｂから構成されており、第１の部分１２ａおよび第２の部分１２ｂはヒンジ１４により接続されている。第１の部分１２ａおよび第２の部分１２ｂは例えばプラスチック等から構成されている。ここで、第１の部分１２ａは第２の部分１２ｂに対してヒンジ１４のヒンジ軸１４ａを中心として（図１の矢印方向に）回転自在となっている。また、第２の部分１２ｂの側面には突起部１２ｃが設けられているとともに第１の部分１２ａにはプラスチック等の弾性部材からなるフック部材１７が設けられており、図１に示すように第１の部分１２ａおよび第２の部分１２ｂが接合したときにフック部材１７を突起部１２ｃに引っ掛けることにより第１の部分１２ａおよび第２の部分１２ｂを接合したまま固定することができるようになっている。
【００１５】
第１の部分１２ａおよび第２の部分１２ｂにはそれぞれ半円形状の溝が互いに対向するよう設けられている。そして、ヒンジ１４により第１の部分１２ａおよび第２の部分１２ｂが接合したときにこれらの第１の部分１２ａおよび第２の部分１２ｂに形成された溝が組み合わさって電線固定用貫通穴１８を形成するようになっている。第１の部分１２ａおよび第２の部分１２が接合していないときにこの電線固定用貫通穴１８に照明用電源線３２を通してその後第１の部分１２ａおよび第２の部分１２ｂを接合させてフック部材１７を突起部１２ｃに引っ掛けることにより、照明用電源線３２は第１の部分１２ａおよび第２の部分１２ｂに挟持されて固定されるようになっている。
【００１６】
第１の部分１２ａの側面に、後述する鉄製のワイヤ３０に係合可能なワイヤ係合部１６が取り付けられている。このワイヤ係合部１６は例えばプラスチック等の弾性部材から構成されており、鉄製のワイヤ３０を嵌め込んでこのワイヤ３０に対して摺動しないよう把持することができるようになっている。
【００１７】
なお、本実施の形態における配線固定具は、図１および図２に示すような電線固定用貫通穴が１つのみ設けられたものに限定されることはない。例えば、図３および図４に示すように、配線固定具として電線固定用貫通穴が２つ以上設けられたものも考えられる。以下、図３および図４を用いて本実施の形態における他の配線固定具２０について説明する。図３は、配線固定具２０にワイヤ３０および２本の電線（例えば、ハーネス幹線および伝送線）３４、３６を係合させたときの上面図を示しており、図４は、図３に示す配線固定具２０にハーネス幹線３４および伝送線３６のみを係合させたときの側面図である。図３および図４に示すように、配線固定具２０は、本体部分２２と、この本体部分２２に取り付けられた１つのワイヤ係合部２６とを備えている。また、本体部分２２には２つの電線固定用貫通穴２８、２９が設けられており、各電線固定用貫通穴２８、２９は、それぞれ、ハーネス幹線３４および伝送線３６を通すとともにこの通されたハーネス幹線３４および伝送線３６を各々固定するようになっている。
【００１８】
より具体的に説明すると、本体部分２２は、第１の部分２２ａおよび第２の部分２２ｂから構成されており、第１の部分２２ａおよび第２の部分２２ｂはヒンジ２４により接続されている。第１の部分２２ａおよび第２の部分２２ｂは例えばプラスチック等から構成されている。ここで、第１の部分２２ａは第２の部分２２ｂに対してヒンジ２４のヒンジ軸２４ａを中心として（図３の矢印方向に）回転自在となっている。また、第２の部分２２ｂの側面には突起部２２ｃが設けられているとともに第１の部分２２ａにはプラスチック等の弾性部材からなるフック部材２７が設けられており、図３に示すように第１の部分２２ａおよび第２の部分２２ｂが接合したときにフック部材２７を突起部２２ｃに引っ掛けることにより第１の部分２２ａおよび第２の部分２２ｂを接合したまま固定することができるようになっている。
【００１９】
第１の部分２２ａおよび第２の部分２２ｂにはそれぞれ２つの半円形状の溝が互いに対向するよう設けられている。そして、ヒンジ２４により第１の部分２２ａおよび第２の部分２２ｂが接合したときにこれらの第１の部分２２ａおよび第２の部分２２ｂに形成された各溝がそれぞれ組み合わさって２つの並列な電線固定用貫通穴２８、２９を形成するようになっている。第１の部分２２ａおよび第２の部分２２が接合していないときに各電線固定用貫通穴２８、２９にハーネス幹線３４および伝送線３６をそれぞれ通してその後第１の部分２２ａおよび第２の部分２２ｂを接合させてフック部材２７を突起部２２ｃに引っ掛けることにより、照明用電源線３２は第１の部分２２ａおよび第２の部分２２ｂに挟持されて固定されるようになっている。
【００２０】
第１の部分２２ａの側面に、後述する鉄製のワイヤ３０に係合可能なワイヤ係合部２６が取り付けられている。このワイヤ係合部２６は例えばプラスチック等の弾性部材から構成されており、鉄製のワイヤ３０を嵌め込んでこのワイヤ３０に対して摺動しないよう把持することができるようになっている。
【００２１】
なお、図３および図４においては電線固定用貫通穴が２つ設けられた配線固定具について説明したが、当然のことながら配線固定具として電線固定用貫通穴が３つ以上並列に設けられたものを用いることもできる。
【００２２】
次に、上述のような配線固定具１０、２０によってエレベータの昇降路４０に電線の配線を行う方法について図５を用いて説明する。
【００２３】
図５に示すように、エレベータの昇降路４０内には、鉄製のターンバックルアングル４２および鉄製のフック付ダクター４４が設置されている。ここで、ターンバックルアングル４２はエレベータの最下階フロア付近に取り付けられており、フック付ダクター４４はエレベータの最上階フロア付近に設けられている。また、例えば２つの鉄製の短尺ダクター４８がエレベータの最上階フロア付近に設置されている。
【００２４】
まず、鉄製の２本のワイヤ（保護ワイヤ）３０の一端にそれぞれターンバックル４６を取り付け、各ターンバックル４６をそれぞれターンバックルアングル４２に引っ掛ける。また、各ワイヤ３０の他端をフック付ダクター４４のフックにそれぞれ引っ掛ける。このことにより、２本のワイヤ３０がターンバックルアングル４２とフック付ダクター４４との間で略平行状態となるようエレベータの昇降路４０内に位置固定で設置される。各ワイヤ３０はターンバックル４６によってテンションが与えられるようになっている。
【００２５】
次に、エレベータの昇降路４０に照明用電源線３２、ハーネス幹線３４および伝送線３６の配線を行う。ここで、照明用電源線３２、ハーネス幹線３４および伝送線３６は、それぞれ銅線がビニール等により覆われた電線からなる。
【００２６】
照明用電源線３２の配線について説明すると、まず照明用電源線３２をケーブラー５０により各短尺ダクター４８に取り付ける。そして、エレベータの最上階フロアからこの照明用電源線３２を昇降路４０内で垂らし、配線固定具１０によりこの垂れ下がった照明用電源線３２をワイヤ（保護ワイヤ）３０に取り付ける。ここで、配線固定具１０は図１および図２に示すように電線固定用貫通穴１８が１つのみ設けられたものが用いられ、図１に示すようにワイヤ３０が配線固定具１０のワイヤ係合部１６に係合されるとともに照明用電源線３２が配線固定具１０の電線固定用貫通穴１８に挿入されて第１の部分１２ａおよび第２の部分１２ｂに挟持されて固定されるようになっている。この照明用電源線３２は、エレベータのかご室内にある照明装置（図示せず）に接続されており、この照明装置に電力を供給するようになっている。
【００２７】
次に、ハーネス幹線３４および伝送線３６の配線について説明する。これらのハーネス幹線３４および伝送線３６は制御盤および昇降路４０内の各機器に接続されるようになっている。ハーネス幹線３４および伝送線３６は、各々、ケーブラー５０により各短尺ダクター４８に取り付けられる。そして、エレベータの最上階フロアからこれらのハーネス幹線３４および伝送線３６を昇降路４０内で垂らし、配線固定具２０によりこの垂れ下がったハーネス幹線３４および伝送線３６をワイヤ（保護ワイヤ）３０に取り付ける。ここで、配線固定具２０は図３および図４に示すように電線固定用貫通穴２８、２９が２つ設けられたものが用いられ、図３に示すようにワイヤ３０が配線固定具２０のワイヤ係合部２６に係合されるとともにハーネス幹線３４および伝送線３６がそれぞれ配線固定具２０の電線固定用貫通穴２８、２９に挿入されて第１の部分２２ａおよび第２の部分２２ｂに挟持されて固定されるようになっている。
【００２８】
その後、照明用電源線３２、ハーネス幹線３４および伝送線３６がそれぞれ配線固定具１０、２０により問題なく固定されているか確認を行う。このようにして、エレベータの昇降路４０に対する、配線固定具１０、２０による電線の配線が完了する。
【００２９】
以上のように本実施の形態の配線固定具１０およびこのような配線固定具１０を用いた配線固定システムによれば、位置固定されたワイヤ３０に係合可能なワイヤ係合部１６が本体部分１２（第１の部分１２ａ）に取り付けられ、電線（例えば照明用電源線３２等）を通すとともにこの通された電線を固定する電線固定用貫通穴１８が本体部分１２に設けられている。配線固定具１０によれば、本体部分１２に電線固定用貫通穴１８を設けることにより電線を確実かつ容易に保持することができるようになり、結束バンドを用いた場合と比較して電線の固定を解いた後でも電線の周囲にゴミとして残るおそれがなく、また、電線の固定時間を短縮することができる。さらに、電線が電線固定用貫通穴１８に固定されることにより当該電線の固定が自然に解かれることがない。
【００３０】
また、本体部分１２は第１の部分１２ａおよび第２の部分１２ｂからなるとともに第１の部分１２ａおよび第２の部分１２ｂを接続するヒンジ１４が設けられており、第１の部分１２ａおよび第２の部分１２ｂにはそれぞれ半円形状の溝が互いに対向するよう設けられている。そして、ヒンジ１４により第１の部分１２ａおよび第２の部分１２ｂが接合したときにこれらの第１の部分１２ａおよび第２の部分１２ｂに形成された溝が組み合わさって電線固定用貫通穴１８を形成し、電線は第１の部分１２ａおよび第２の部分１２ｂに挟持されて固定されるようになっている。このことにより、電線の固定をより確実に行うことができるようになる。
【００３１】
また、本実施の形態の配線固定具２０によれば、本体部分２２に複数（例えば２つ）の電線固定用貫通穴２８、２９が設けられている。このことにより、並列に延びる複数の電線を同時に固定することができるようになる。
【図面の簡単な説明】
【００３２】
【図１】本発明の一の実施の形態における一の配線固定具の構成を示す構成図である。
【図２】図１に示す一の配線固定具の側面図である。
【図３】本発明の一の実施の形態における他の配線固定具の構成を示す構成図である。
【図４】図３に示す他の配線固定具の側面図である。
【図５】エレベータの昇降路に電線の配線がなされたときの状態を示す構成図である。
【符号の説明】
【００３３】
１０  配線固定具
１２  本体部分
１２ａ  第１の部分
１２ｂ  第２の部分
１２ｃ  突起部
１４  ヒンジ
１４ａ  ヒンジ軸
１６  ワイヤ係合部
１７  フック部材
１８  電線固定用貫通穴
２０  配線固定具
２２  本体部分
２２ａ  第１の部分
２２ｂ  第２の部分
２２ｃ  突起部
２４  ヒンジ
２４ａ  ヒンジ軸
２６  ワイヤ係合部
２７  フック部材
２８、２９  電線固定用貫通穴
３０  ワイヤ
３２  照明用電源線
３４  ハーネス幹線
３６  伝送線
４０  エレベータの昇降路
４２  ターンバックルアングル
４４  フック付ダクター
４６  ターンバックル
４８  短尺ダクター
５０  ケーブラー
【図１】
2008303017.tif 000003
【図２】
2008303017.tif 000004
【図３】
2008303017.tif 000005
【図４】
2008303017.tif 000006
【図５】
2008303017.tif 000007